(57)【要約】      （修正有）【課題】不揮発性記憶部に記憶された調整値（グリッドバイアス値）が失われた場合であっても画質の低下が生じないまたは低下が抑えられた画像形成装置を提供する。【解決手段】本画像形成装置の制御部は、操作入力の結果Ｓ３１０、主格納部の内容のみを消去する部分メモリクリアを行う場合Ｓ３２０：Ｙｅｓ、主格納部と副格納部にそれぞれ格納される感光ドラム使用時間などを示すカウンタ情報が同一であることを確認しＳ３５０：Ｙｅｓ、部分メモリクリアを行った後Ｓ３７０、副格納部からカウンタ情報を読み出しＳ３８０、カウンタ情報とグリッドバイアス値との対応関係を示すテーブルに基づき、読み出したカウンタ情報に対応するグリッドバイアス値を算出しＳ３９０、主格納部に書き込むＳ４００。このことによりメモリクリア等により失われたグリッドバイアス値がカウンタ情報に基づき算出されるので画質が低下しない。【選択図】図７
2006133256.tif 000002
【特許請求の範囲】
【請求項１】
感光体である感光ドラムと、前記感光ドラムを所定の電位に帯電させる帯電装置と、前記帯電装置に所定の電圧または所定の電流を与える高圧部と、予め設定される所定の調整値に基づき前記高圧部から前記帯電装置に与えられる前記所定の電圧または前記所定の電流を制御する制御部とを備える画像形成装置であって、
前記制御部は、
前記調整値が新たに設定されるときに前記調整値を記憶する第１の不揮発性記憶部と、
前記感光ドラムの使用状態を示すカウンタ情報を記憶する第２の不揮発性記憶部と、
前記第１の不揮発性記憶部に記憶される前記調整値が失われた場合、前記カウンタ情報と前記調整値との所定の対応関係に基づいて、前記第２の不揮発性記憶部に記憶される前記カウンタ情報に対応する調整値を算出し、算出された調整値を前記第１の不揮発性記憶部に記憶させる算出手段と、
を含むことを特徴とする画像形成装置。
【請求項２】
前記カウンタ情報は、前記感光ドラムの回転時間に対応する値であることを特徴とする、請求項１に記載の画像形成装置。
【請求項３】
前記カウンタ情報は、前記感光ドラムにより画像形成されるべき用紙の枚数に対応する値であることを特徴とする、請求項１に記載の画像形成装置。
【請求項４】
前記第１の不揮発性記憶部は、前記カウンタ情報をさらに記憶することを特徴とする、請求項１に記載の画像形成装置。
【請求項５】
前記帯電装置は、
前記感光ドラムを帯電させる放電電極と、
前記感光ドラムの帯電量を調整するグリッド電極とを含み、
前記第１の不揮発性記憶部は、前記高圧部から前記グリッド電極に印加されるべきグリッドバイアス電圧値を前記調整値として記憶し、
前記算出手段は、前記第１の不揮発性記憶部に記憶される前記グリッドバイアス電圧値が失われた場合、前記カウンタ情報と前記グリッドバイアス電圧値との所定の対応関係に基づいて、前記第２の不揮発性記憶部に記憶される前記カウンタ情報に対応するグリッドバイアス電圧値を算出し、算出されたグリッドバイアス電圧値を前記第１の不揮発性記憶部に記憶させることを特徴とする、請求項１に記載の画像形成装置。
【請求項６】
前記制御部は、前記第１の不揮発性記憶部に記憶される前記調整値を含む情報を消去することができるメモリクリア手段をさらに含むことを特徴とする、請求項１に記載の画像形成装置。
【請求項７】
前記メモリクリア手段は、さらに前記第２の不揮発性記憶部に記憶されている前記カウンタ情報を含む情報を消去することができ、前記第２の不揮発性記憶部に記憶されている前記情報を消去するか否かが選択可能であることを特徴とする、請求項６に記載の画像形成装置。
【請求項８】
前記第２の不揮発性記憶部は、前記調整値が新たに設定されるときの前記調整値と所定の対応関係を有する値を修正値として記憶し、
前記算出手段は、前記第１の不揮発性記憶部に記憶される前記調整値が失われた場合、前記所定の対応関係に基づいて前記第２の不揮発性記憶部に記憶される前記修正値から前記調整値を算出し、算出された調整値を前記第１の不揮発性記憶部に記憶させることを特徴とする、請求項１に記載の画像形成装置。
【請求項９】
前記第１の不揮発性記憶部は、前記修正値をさらに記憶することを特徴とする、請求項８に記載の画像形成装置。
【請求項１０】
前記第２の不揮発性記憶部は、前記調整値が新たに設定されるときの前記調整値に対応する前記感光ドラムの帯電電位を前記修正値として記憶し、
前記算出手段は、前記第１の不揮発性記憶部に記憶される前記調整値が失われた場合、前記カウンタ情報と、前記調整値と、前記修正値との所定の対応関係に基づいて前記第２の不揮発性記憶部に記憶される前記カウンタ情報および前記修正値に対応する調整値を算出し、算出された調整値を前記第１の不揮発性記憶部に記憶させることを特徴とする、請求項８に記載の画像形成装置。
【請求項１１】
前記第２の不揮発性記憶部は、前記調整値が新たに設定されるときのカウンタ情報をさらに前記修正値として記憶することを特徴とする、請求項１０に記載の画像形成装置。
【発明の詳細な説明】
【技術分野】
【０００１】
本発明は、画像形成装置に関し、更に詳しくは、電子写真方式を使用した複写機やプリンタ等の画像形成装置に関する。
【背景技術】
【０００２】
近年、複写機やプリンタ等の画像形成装置には、電子写真方式が広く使用されている。電子写真方式とは、感光ドラムなどの感光体を帯電装置により帯電させた後、所定の光源により感光体表面に静電潜像を形成し、この静電潜像を着色粉体（トナー）によって可視化する方式をいう。この電子写真方式を使用した従来の画像形成装置には、帯電装置として例えばスコロトロン帯電器のように、感光ドラムへの帯電量を調整するためのグリッド電極が設けられており、このグリッド電極への印加電圧（以下「グリッドバイアス」という）を適宜の値に調整することにより上記帯電量を調整する構成のものがある。一般的に、このグリッドバイアスは出荷時において適宜の値に調整される。
【０００３】
しかし、上記感光ドラムは、現像後の残留トナーを除去するために設けられるクリーニング装置のブレードでその表面を削られるなどの要因により、使用時間が長くなるほどその表面の膜厚が薄くなる。そのため、上記グリッド電極と感光ドラムとの距離が大きくなるので、グリッドバイアスが同じであっても使用時間が長くなるほど上記帯電量が低下することになる。
【０００４】
図９は、グリッドバイアスが一定であるときの感光ドラムの表面電位と使用時間との関係を簡略に示す図である。図９に示されるように、感光ドラムの使用期間が初期の時点から末期の時点までに感光ドラムの表面電位は５０ボルト程度上昇している。この結果、本画像形成装置では、出力される用紙の印字濃度が低下したり、用紙の地色が濃くなる（かぶる）など画質の低下を生じることがある。
【０００５】
そこで、このような画質の低下が生じないよう、一般的には保守担当者により上記グリッドバイアスは定期的に調整され、当該電圧を示す値（以下「グリッドバイアス値」という）は装置内の制御部（例えばマイクロコンピュータ）に含まれる半導体メモリ（一般的には不揮発性のメモリ）に保存されている。
【０００６】
さらにこのような従来の画像形成装置には、上記グリッドバイアス値を含む全ての設定情報を主として使用される第１の不揮発性メモリに記憶させるとともに、例えば課金のために不可欠な情報である用紙の印刷枚数（コピー枚数）および感光ドラムの交換時期を判断するために必要なドラムの使用時間（回転時間）など必要最小限の重要な情報のみを第２の不揮発性メモリにも併せて記憶させるものがある。この構成では、第２の不揮発性メモリの記憶容量が小さくて済むためコストを低く抑えることができ、また停電時などにおいても上記必要最小限の重要な情報のみを素早く確実に第１および第２の不揮発性メモリに記憶させることができるからである。
【０００７】
【特許文献１】特開平１１−８５４８０号公報
【特許文献２】特開平７−２０５５７号公報
【発明の開示】
【発明が解決しようとする課題】
【０００８】
しかし、上記従来の構成では、停電時などの事故発生時に、データ化けなどの諸要因により、第１の不揮発性メモリにのみ記憶されているグリッドバイアス値が失われることがある。
【０００９】
また、上記グリッドバイアス値を含む全ての設定情報が正しく第１の不揮発性メモリに記憶させている場合であっても、これら全ての設定情報を第１の不揮発性メモリから消去（メモリクリア）しなければならない場合がある。例えば、装置内の制御コンピュータを動作させるプログラムをバージョンアップする場合には第１の不揮発性メモリにおけるアドレスマッピングを変更することがあり、この場合には第１の不揮発性メモリに記憶されている全ての情報を消去しなければならない。したがって、この従来の構成では、メモリクリア時にグリッドバイアス値が失われる。
【００１０】
そこで本発明では、不揮発性メモリに記憶されたグリッドバイアス値またはこれに相当する調整値が失われた場合であっても画質の低下が生じないまたは低下が抑えられた画像形成装置を提供することを目的とする。
【課題を解決するための手段】
【００１１】
第１の発明は、感光体である感光ドラムと、前記感光ドラムを所定の電位に帯電させる帯電装置と、前記帯電装置に所定の電圧または所定の電流を与える高圧部と、予め設定される所定の調整値に基づき前記高圧部から前記帯電装置に与えられる前記所定の電圧または前記所定の電流を制御する制御部とを備える画像形成装置であって、
前記制御部は、
前記調整値が新たに設定されるときに前記調整値を記憶する第１の不揮発性記憶部と、
前記感光ドラムの使用状態を示すカウンタ情報を記憶する第２の不揮発性記憶部と、
前記第１の不揮発性記憶部に記憶される前記調整値が失われた場合、前記カウンタ情報と前記調整値との所定の対応関係に基づいて、前記第２の不揮発性記憶部に記憶される前記カウンタ情報に対応する調整値を算出し、算出された調整値を前記第１の不揮発性記憶部に記憶させる算出手段と、
を含むことを特徴とする。
【００１２】
第２の発明は、第１の発明において、
前記カウンタ情報は、前記感光ドラムの回転時間に対応する値であることを特徴とする。
【００１３】
第３の発明は、第１の発明において、
前記カウンタ情報は、前記感光ドラムにより画像形成されるべき用紙の枚数に対応する値であることを特徴とする。
【００１４】
第４の発明は、第１の発明において、
前記第１の不揮発性記憶部は、前記カウンタ情報をさらに記憶することを特徴とする。
【００１５】
第５の発明は、第１の発明において、
前記帯電装置は、
前記感光ドラムを帯電させる放電電極と、
前記感光ドラムの帯電量を調整するグリッド電極とを含み、
前記第１の不揮発性記憶部は、前記高圧部から前記グリッド電極に印加されるべきグリッドバイアス電圧値を前記調整値として記憶し、
前記算出手段は、前記第１の不揮発性記憶部に記憶される前記グリッドバイアス電圧値が失われた場合、前記カウンタ情報と前記グリッドバイアス電圧値との所定の対応関係に基づいて、前記第２の不揮発性記憶部に記憶される前記カウンタ情報に対応するグリッドバイアス電圧値を算出し、算出されたグリッドバイアス電圧値を前記第１の不揮発性記憶部に記憶させることを特徴とする。
【００１６】
第６の発明は、第１の発明において、
前記制御部は、前記第１の不揮発性記憶部に記憶される前記調整値を含む情報を消去することができるメモリクリア手段をさらに含むことを特徴とする。
【００１７】
第７の発明は、第６の発明において、
前記メモリクリア手段は、さらに前記第２の不揮発性記憶部に記憶されている前記カウンタ情報を含む情報を消去することができ、前記第２の不揮発性記憶部に記憶されている前記情報を消去するか否かが選択可能であることを特徴とする。
【００１８】
第８の発明は、第１の発明において、
前記第２の不揮発性記憶部は、前記調整値が新たに設定されるときの前記調整値と所定の対応関係を有する値を修正値として記憶し、
前記算出手段は、前記第１の不揮発性記憶部に記憶される前記調整値が失われた場合、前記所定の対応関係に基づいて前記第２の不揮発性記憶部に記憶される前記修正値から前記調整値を算出し、算出された調整値を前記第１の不揮発性記憶部に記憶させることを特徴とする。
【００１９】
第９の発明は、第８の発明において、
前記第１の不揮発性記憶部は、前記修正値をさらに記憶することを特徴とする。
【００２０】
第１０の発明は、第８の発明において、
前記第２の不揮発性記憶部は、前記調整値が新たに設定されるときの前記調整値に対応する前記感光ドラムの帯電電位を前記修正値として記憶し、
前記算出手段は、前記第１の不揮発性記憶部に記憶される前記調整値が失われた場合、前記カウンタ情報と、前記調整値と、前記修正値との所定の対応関係に基づいて前記第２の不揮発性記憶部に記憶される前記カウンタ情報および前記修正値に対応する調整値を算出し、算出された調整値を前記第１の不揮発性記憶部に記憶させることを特徴とする。
【００２１】
第１１の発明は、第１０の発明において、
前記第２の不揮発性記憶部は、前記調整値が新たに設定されるときのカウンタ情報をさらに前記修正値として記憶することを特徴とする。
【発明の効果】
【００２２】
第１の発明によれば、第１の不揮発性記憶部に記憶される調整値が失われた場合であっても、カウンタ情報および調整値の所定の対応関係に基づいて、第２の不揮発性記憶部に記憶されるカウンタ情報に対応する調整値を算出する。このように算出された調整値を使用することにより、本画像形成装置は、例えば保守担当者による専門的な調整作業が行われない場合であっても、画質の低下を生じないかまたは低下を抑えることができる。
【００２３】
第２の発明によれば、カウンタ情報は感光ドラムの回転時間に対応する値である。この感光ドラムの回転時間に対応する値と調整値との間には強い相関関係があるため、この感光ドラムの使用時間に対応する値に基づくことにより調整値を正確かつ容易に算出することができる。
【００２４】
第３の発明によれば、カウンタ情報は感光ドラムにより画像形成されるべき用紙の枚数に対応する値である。この感光ドラムにより画像形成されるべき用紙の枚数に対応する値と調整値との間には強い相関関係があるため、この感光ドラムにより画像形成されるべき用紙の枚数に対応する値に基づくことにより調整値を正確かつ容易に算出することができる。
【００２５】
第４の発明によれば、第１の不揮発性記憶部はカウンタ情報をさらに記憶するので、例えば第１および第２の不揮発性記憶部の一方または双方に記憶されているカウンタ情報がデータ化け等により失われた場合に、双方のデータが同一であるか否かを比較することにより、格納されているカウンタ情報が正しいか否かを容易に検証することができる。また例えば、第２の不揮発性記憶部に記憶されているカウンタ情報のみが失われた場合に、第１の不揮発性記憶部に記憶されているカウンタ情報を第２の不揮発性記憶部に書き込むことにより、失われたカウンタ情報を復元することができる。
【００２６】
第５の発明によれば、第１の不揮発性記憶部に記憶されるグリッドバイアス電圧値が失われた場合であっても、カウンタ情報およびグリッドバイアス電圧値の対応関係に基づいて、グリッドバイアス電圧値を算出する。このことにより、本画像形成装置は、例えば保守担当者による専門的なグリッドバイアス電圧の調整作業が行われない場合であっても、画質の低下を生じないかまたは低下を抑えることができる。
【００２７】
第６の発明によれば、例えばプログラムのバージョンアップなどで第１の不揮発性記憶部に記憶されている情報を消去すべき場合、メモリクリア手段によりこれを消去することができ、その後第２の不揮発性記憶部に記憶されているカウンタ情報に基づき好適な調整値を算出することができる。
【００２８】
第７の発明によれば、例えば感光ドラムを交換するためなどカウンタ情報を消去すべき場合には第２の不揮発性記憶部に記憶されている情報を消去することを選択できるメモリクリア手段により、必要に応じて第１および第２の不揮発性記憶部に記憶されている情報を適宜消去することができる。
【００２９】
第８の発明によれば、調整値が新たに設定されるときの調整値と所定の対応関係を有する値を修正値として第２の不揮発性記憶部に記憶し、この修正値から調整値を算出することにより、例えば調整値が新たに設定されるときに装置の個体差や利用者の嗜好等を反映させる場合、この調整値に対応する修正値にも装置の個体差や利用者の嗜好等が反映されるので、調整値が失われた場合にもこの修正値から調整値を算出すれば、算出された調整値にも装置の個体差や利用者の嗜好等を反映させることができる。
【００３０】
第９の発明によれば、第１の不揮発性記憶部により修正値をさらに記憶するので、第４の発明と同様、例えば第１および第２の不揮発性記憶部の一方または双方に記憶されている修正値がデータ化け等により失われた場合に、双方のデータが同一であるか否かを比較することにより、格納されている修正値が正しいか否かを容易に検証することができる。また例えば、第２の不揮発性記憶部に記憶されている修正値のみが失われた場合に、第１の不揮発性記憶部に記憶されている修正値を第２の不揮発性記憶部に書き込むことにより、失われた修正値を復元することができる。
【００３１】
第１０の発明によれば、調整値が新たに設定されるときの調整値に対応する感光ドラムの帯電電位を修正値として第２の不揮発性記憶部に記憶し、カウンタ情報と、調整値と、修正値との所定の対応関係に基づいて調整値を算出するので、失われた好適な調整値は、その設定時点での感光ドラムの表面電位と一意に対応していることにより、現時点での表面電位に対応する調整値を上記対応関係から算出することにより、結果として、現時点で装置の個体差や利用者の嗜好等を反映させた画質を実現することができる。
【００３２】
第１１の発明によれば、調整値が新たに設定されるときのカウンタ情報をさらに修正値として第２の不揮発性記憶部に記憶することにより、上記設定時点での表面電位に対応する調整値を上記対応関係から算出することにより、結果として、調整値が新たに設定されたときの装置の個体差や利用者の嗜好等を反映させた画質を再現することができる。
【発明を実施するための最良の形態】
【００３３】
以下、本発明の一実施形態について添付図面を参照して説明する。
＜１．  画像形成装置の構成および動作＞
図１は、電子写真方式を使用した従来の画像形成装置と同様の構造を有する、本発明の一実施形態に係る画像形成装置における画像形成機構の構造を簡単に示す側面図である。本画像形成装置は、例えば複写機、プリンタ、およびファクシミリなどの機能を併せ持つ複合機であって、後述する画像形成機構に用紙を与える図示されない給紙機構として、用紙を収容した用紙カセットや各種ローラなどを備え、画像形成機構から用紙を排出する図示されない排紙機構として、排紙トレイや各種ローラなどを備えている。また、図１に示すように、本画像形成装置は、画像形成機構として、ドラム形状をなして矢印方向に回転する感光ドラム１７と、この感光ドラム１７の周りに矢印方向に沿って、現像ローラ１８、転写ローラ１９、クリーニング装置２０、除電装置（図示せず）、主帯電装置２１、およびレーザースキャニングユニット（以下「ＬＳＵ」と略称する）２２を備えている。
【００３４】
ここで、形成されるべき画像データは、装置に内蔵される図示されない光学読取機構により取得され、または装置外部の例えば図示されないコンピュータから与えられる。この画像データは、所定の画像処理が施された後、ＬＳＵ２２に供給される。ＬＳＵ２２は、画像データをレーザー光として感光ドラム１７の表面に照射し、静電潜像を形成する。現像ローラ１８は、この静電潜像をトナーにより可視像に現像する。転写ローラ１９は、現像により感光ドラム１７の表面に形成されたトナー像を用紙Ｐに転写する。クリーニング装置２０は、感光ドラム１７の表面の残留トナーを除去する。除電装置は、感光ドラム１７の表面の残留電荷を除去する。主帯電装置２１は、感光ドラム１７を所定の電位に帯電させる。
【００３５】
用紙は、給紙機構から所定の搬送路３６を通って画像形成機構に与えられる。この搬送路３６の上流側（給紙機構側）の端部にはレジストローラ４３が設けられ、レジストローラ４３の上流側の所定位置には、用紙の通過を検知するレジスト前検知スイッチ（図示せず）が設けられている。本画像形成装置では、上記レジスト前検知スイッチによって用紙の通過が検知されたこと（を示す検知信号）に基づき、感光ドラム１７上のトナー像と用紙Ｐとの位置合わせをレジストローラ４３により行う。また搬送路３６における転写ローラ１９の下流側の所定位置には、用紙上のトナー像を加熱圧着させる一対のローラからなる定着ローラ４４が設けられている。用紙は、この定着ローラ４４により挟持搬送され、排紙機構に送られることにより、例えば装置外部に露出した排紙トレイ上に排出される。
【００３６】
また、感光ドラム１７や現像ローラ１８などの各種ローラは、それぞれに対応して設けられる図示されない駆動モータ、ギヤ、およびベルトからなる駆動部材と、これらを制御する図示されない制御装置とにより駆動される。さらに、本画像形成装置は、利用者からの指示、例えば動作の開始や用紙の印刷枚数などの指示を受け付ける液晶パネルや各種ボタンスイッチなどからなる図示されない操作装置を備えている。以下、主帯電装置２１の構成および主帯電装置２１を制御する制御装置の動作等につき詳述する。
【００３７】
＜２．  主帯電装置の構成および制御動作＞
図２は、主帯電装置の構成を簡略に示す図である。主帯電装置２１は、感光ドラム１７の表面へコロナ放電を発生させる放電電極２１５と、この放電電極２１５から感光ドラム１７への放電量を調整するワイヤー状のグリッド電極２１６と、これら放電電極２１５およびグリッド電極２１６に高い負電圧を与える高圧部２１１とを備える。なお、これら放電電極２１５およびグリッド電極２１６によりスコロトロン帯電器が構成されている。
【００３８】
高圧部２１１は、放電電極２１５に対して予め定められた一定の放電電圧Ｖｈを与える。このことにより放電電極２１５は感光ドラム１７の表面へコロナ放電を発生させ、この放電により感光ドラム１７の表面には負の高電圧（例えば−５５０Ｖ程度の負電位）が生じる。
【００３９】
また、高圧部２１１は、上記制御装置である制御部１００からの制御に基づき、感光ドラム１７への放電量を調整するための電圧であるグリッドバイアスＶｇをグリッド電極２１６に与える。このことによりグリッドバイアスＶｇに応じて放電電極２１５から感光ドラム１７への放電量が調整されるため、感光ドラム１７の表面に帯電する電位が適宜に調整される。よって、グリッドバイアス値は、感光ドラムの帯電量を調整するための調整値として機能する。このように調整できることについて、さらに図を参照して説明する。
【００４０】
図３は、上記感光ドラムの表面電位と上記グリッドバイアスとの関係を示す図である。図３に示されるように、これらの値は一意の対応関係を有しているので、グリッドバイアスＶｇの値を制御することにより感光ドラム１７の表面電位を調整することができる。なお、図３では、説明の便宜のためグリッドバイアスの値と表面電位の値とが等しい関係として示されているが、これは上記値が一意の対応関係を有していることを説明するための例にすぎず、実際にはこれらの値は等しくない場合が多く、また通常は完全な比例関係にもない。
【００４１】
制御部１００は、上記操作装置である操作部３００により受け付けられた利用者（通常は保守担当者）の操作入力の内容を示す操作信号Ｓｉを受け取り、その内容に基づいて上記グリッドバイアスＶｇを定めるための値であるグリッドバイアス値を算出する。算出されたグリッドバイアス値は、制御信号Ｓｃとして高圧部２１１に与えられる。例えば、利用者が操作部３００に対して所望のグリッドバイアス値を設定する操作入力を行うと、制御部１００は設定されたグリッドバイアス値を高圧部２１１に与え、高圧部２１１は受け取ったグリッドバイアス値に相当するグリッドバイアスをグリッド電極２１６に印加する。このことにより感光ドラム１７の表面電位はグリッドバイアスに一意に対応した電位に調整され、その結果、印刷出力される用紙の画質が所望の状態に調整される。以下、この制御部の詳細な構成および動作について説明する。
【００４２】
＜３．  制御部の構成および動作＞
＜３．１  制御部の構成＞
図４は制御部の構成を示すブロック図である。この制御部１００は、典型的には複数の記憶部（メモリ）を含むコンピュータで構成されており、各種制御を行う処理部１１０と、一時的な記憶を行う作業記憶部１２０と、所定の制御プログラムを書き替え可能に記憶するプログラム格納部１３０と、継続的な保存を要する全ての設定情報を格納する主格納部１４０と、用紙の印刷枚数（コピー枚数）および感光ドラムの使用時間（回転時間）などを含むカウンタ情報のみを格納する副格納部１５０と、各種信号の入力を受け付けまた出力を行う入出力部１６０とを備える。なお、これらの構成要素は所定のシステムバスやメモリバスなどで相互に接続されている。
【００４３】
処理部１１０は、ＣＰＵ（Central Processing Unit）などを含み、コンピュータにおける本画像形成装置の各種制御機能を所定のプログラム（例えばファームウェア）を実行することにより実現する。
【００４４】
プログラム格納部１３０は、典型的にはフラッシュメモリで構成されており、処理部１１０において実行される上記プログラムを格納する。このプログラムは、例えば、そのプログラムを記録した記録媒体であるＣＤ−ＲＯＭによって提供されてもよい。すなわち、上記所定プログラムの記録媒体としてのＣＤ−ＲＯＭが補助記憶装置として内蔵された図示されない書き替え装置に装着され、そのＣＤ−ＲＯＭから所定プログラムが読み出されてプログラム格納部１３０であるフラッシュメモリに書き込まれる。また、上記所定プログラムは、ＣＤ−ＲＯＭ以外の記録媒体や通信回線を介して提供されてもよい。そして、本画像形成装置の起動のための所定操作がなされると、上記プログラムの一部または全部が作業記憶部１２０に転送されてそこに一時的に格納され、処理部１１０内のＣＰＵにより実行される。これにより、制御部１００の各部の制御処理が実現される。また、プログラム格納部１３０には、本画像形成装置の各種制御に必要な各種設定情報、例えば装置出荷時などに使用されるグリッドバイアス値のデフォルト値（初期値）などが格納されている。なお、このグリッドバイアス値は、保守担当者等により修正されうることについては前述したとおりである。
【００４５】
主格納部１４０および副格納部１５０は、典型的には電気的に書き替え可能な読み出し専用メモリ（ＥＥＰＲＯＭ ：Electronically Erasable and Programmable Read Only Memory）で構成されている。ここで、主格納部１４０は、保存を要する全ての設定情報を記憶しており、グリッドバイアス値もここに記憶されている。また、副格納部１５０は、例えば課金のために不可欠な情報である用紙の印刷枚数および感光ドラムの交換時期を判断するために必要なドラムの使用時間（回転時間）などのカウンタ情報のみを記憶する。このカウンタ情報は一旦作業記憶部１２０に記憶された後、主格納部１４０および副格納部１５０に格納される。なお、主格納部１４０に記憶されるカウンタ情報を含む全ての設定情報のメモリ上での記憶位置を示すアドレスマップは、上記プログラムの変更に応じて変更されることがあり、その場合にはこれらの設定情報は主格納部１４０から消去される。このようなメモリクリア動作については後述する。
【００４６】
入出力部１６０は、入出力（Ｉ／Ｏ）インタフェースボードなどで構成されており、操作部３００からの操作信号Ｓｉや図示されないセンサからの検知信号などの各種信号を受け付けるとともに、高圧部２１１への制御信号Ｓｃや図示されない液晶表示部への表示信号などの各種信号を出力する。次に上記カウンタ情報の作成処理および記憶処理について詳述する。
【００４７】
＜３．２  制御部によるカウンタ情報の作成動作および記憶動作＞
図５は、制御部によりカウンタ情報を作成し記憶する処理の流れを示すフローチャートである。制御部１００は、感光ドラム１７の回転の開始および停止を制御しており、感光ドラム１７の回転が開始されると、図５に示すステップＳ１１０において、用紙の印刷枚数およびドラムの使用時間（回転時間）などのカウンタ情報を作成するための計測を開始する。例えば、コピー動作のための装置のウォームアップが開始されることにより感光ドラム１７の回転が開始されると、制御部１００は内蔵するタイマによる感光ドラムの使用時間の計測を開始し、またコピーに使用される用紙の枚数の計測を開始する。なお、コピーに使用される用紙の枚数は、標準的な用紙サイズであるＡ４サイズやレターサイズを基準としこれを１枚として計測する。例えばＡ３サイズの用紙が使用される場合には２枚として計測する。この計測は実際に使用される用紙の種別や用紙長などをセンサ等で計測してもよいし、利用者による操作入力の内容に基づき用紙の印刷枚数を判別してもよい。ここで、以上のような計測の結果として得られるドラムの使用時間や用紙の印刷枚数は、一時的に作業記憶部１２０に保存される。
【００４８】
次に制御部１００は感光ドラム１７の回転が停止したか否かを判定する（ステップＳ１２０）。この判定の結果、回転が停止していない場合（すなわちＮｏの場合）には停止するまで本判定処理を繰り返し（Ｓ１２０→Ｓ１２０）、回転が停止した場合（すなわちＹｅｓの場合）には計測を終了する（ステップＳ１３０）。なおこの時点では、計測の結果として最終的に得られた用紙の印刷枚数やドラムの使用時間は、作業記憶部１２０に保存されている。
【００４９】
続いて、制御部１００は、作業記憶部１２０に保存されている上記用紙の印刷枚数やドラムの使用時間を主格納部１４０の予め定められた（アドレスマップに基づく）アドレスに書き込む（ステップＳ１４０）。さらに、制御部１００は、作業記憶部１２０に保存されている上記用紙の印刷枚数やドラムの使用時間を副格納部１５０にも書き込む（ステップＳ１５０）。以上でカウンタ情報の作成および記憶処理は終了し、再び感光ドラム１７の回転が開始されると上記処理が繰り返される。
【００５０】
ここで、計測の開始時点（Ｓ１１０）から作業記憶部１２０に保存されているカウンタ情報が副格納部１５０に書き込まれるまで（Ｓ１５０）の間に、停電等の事故が発生すると、作業記憶部１２０に保存されているカウンタ情報が失われてしまう。しかしこのカウンタ情報に含まれる用紙の印刷枚数は、課金のためなどに不可欠な情報であり、またドラムの使用時間（回転時間）は感光ドラム１７の交換時期を判断するために必要な情報であるから、停電等の事故が発生した場合にもこのカウンタ情報が失われないことが望まれる。そこで、制御部１００は、装置の動作中、所定の短い期間毎に次のような割り込み処理を受け付けている。
【００５１】
図６は、電源状態が不安定になった際に、制御部によりカウンタ情報を待避する割り込み処理の流れを示すフローチャートである。制御部１００は、装置に内蔵される電源装置に設けられた図示されない電圧センサから電源電圧の値を受け取ることにより電源状態を検出している（ステップＳ２１０）。
【００５２】
そして、制御部１００は、ステップＳ２１０による検出結果に基づき、電源状態が不安定になったこと、すなわち典型的には電圧低下が検出されたか否かを判定し（ステップＳ２２０）、その判定の結果、電圧低下が検出されない場合（すなわちＮｏの場合）、本処理は一旦終了し、所定の期間を空けて再び開始される。
【００５３】
また、ステップＳ２２０における判定の結果、電圧低下が検出された場合（すなわちＹｅｓの場合）、カウンタ情報を待避する処理を行う（ステップＳ２３０）。このカウンタ情報の待避処理として、具体的には図５に示すステップＳ１４０，Ｓ１５０の処理と同一の処理、すなわち作業記憶部１２０に保存されているカウンタ情報を主格納部１４０および副格納部１５０に書き込む処理が行われる。その後処理は終了し、通常は電源電圧の低下により装置が停止する。なお、本装置では、カウンタ情報の待避（Ｓ２３０）を行うために必要な期間中、図示されない内蔵のバックアップ用電源または電池等により制御部１００等に正常な電圧の電源が供給されているので、この処理は電源電圧の低下による影響を受けない。このことを実現する構成は、カウンタ情報が極めて小さいので書き込みに要する時間も短くて済む結果、簡易なもので済む。
【００５４】
以上のように、本装置では、例えば感光ドラム１７の回転中に停電等の事故が発生しても、作業記憶部１２０に保存されているカウンタ情報は主格納部１４０および副格納部１５０に待避されるので、カウンタ情報が失われることはない。また、カウンタ情報は、主格納部１４０とは別の副格納部１５０に格納されるので、主格納部１４０に保存される情報がデータ化け等により失われても副格納部１５０に格納される情報は影響を受けない。よって、確実にカウンタ情報を保存することができる。さらに、カウンタ情報は、主格納部１４０と副格納部１５０との双方に格納されるので、これらのうち一方または双方に格納されているカウンタ情報がデータ化け等により損傷した（失われた）場合に、双方のデータが同一であるか否かを比較することにより、格納されているカウンタ情報が正しいか否かを容易に検証することができる。
【００５５】
このように本装置においてカウンタ情報は確実に待避されるが、カウンタ情報以外の他の設定情報の１つであるグリッドバイアス値は、主格納部１４０のみに保存されており、副格納部１５０には待避されない。よって場合により主格納部１４０内でデータ化けを起こすこともあり得る。また、前述のように、主格納部１４０に記憶されるグリッドバイアス値を含む全ての設定情報のメモリ上におけるアドレスマップは、上記プログラムの変更に応じて変更されることがある。これらの場合、上記全ての設定は主格納部１４０から消去される。以下、制御部１００によるこのようなメモリクリア動作について図を参照して説明する。
【００５６】
＜３．３  制御部によるメモリクリア動作＞
図７は、制御部１００による主格納部１４０に対するメモリクリア処理の流れを示すフローチャートである。制御部１００は、操作部３００に対してなされる利用者の入力操作を受け付ける（ステップＳ３１０）。この入力操作は、主格納部１４０に格納されている情報のみを全て消去するためのメモリクリア（以下「部分メモリクリア」という）を行うか、または主格納部１４０および副格納部１５０に格納されている全ての情報を消去するためのメモリクリア（以下「全メモリクリア」という）を行うかを選択するための利用者による操作である。このように利用者の入力操作により部分メモリクリアと全メモリクリアとを適宜に選択可能な構成により、例えばプログラムのバージョンアップなどでグリッドバイアス値が消去される場合であっても、部分メモリクリアが選択されることにより後述するようにカウンタ情報に基づき好適なグリッドバイアス値を算出することができ、また例えば感光ドラムを交換するためカウンタ情報を消去したい場合には、全メモリクリアが選択されることにより必要に応じて全ての情報を消去することができる。なお、この部分メモリクリアおよび全メモリクリアの選択は、利用者の入力操作に基づくことなく、制御部１００により適宜の動作が自動的になされる構成であってもよい。
【００５７】
次に、制御部１００は、受け付けられた操作入力の内容が部分メモリクリアを示すものか否かを判定する（ステップＳ３２０）。この判定の結果、部分メモリクリアでない場合（すなわちＮｏである場合）、制御部１００は、主格納部１４０および副格納部１５０に対して全メモリクリアを実行し（ステップＳ３３０）、その後、プログラム格納部１３０に格納されている設定情報の初期値（例えばグリッドバイアス値のデフォルト値など）を読み出し、所定のメモリマップに合わせて主格納部１４０に書き込む（ステップＳ３４０）。なお、このメモリマップは、一般的にはプログラム格納部１３０に格納されているプログラムに応じて設定されている。その後、このメモリクリア処理は終了し、新たにメモリクリアを指示する操作入力が行われると再び上記処理が繰り返される。
【００５８】
また、ステップＳ３２０における判定の結果、部分メモリクリアである場合（すなわちＹｅｓである場合）、制御部１００は、主格納部１４０に記憶されているカウンタ情報と、副格納部１５０に記憶されているカウンタ情報とを照合し、これらが同一内容か否かを判定する（ステップＳ３５０）。この判定の結果、同一でない場合（すなわちＮｏである場合）、制御部１００は、図示されない表示部にメモリ内容が破壊されていることを示すエラー表示を行うとともに、部分メモリクリアを禁止する（ステップＳ３６０）。部分メモリクリアを禁止する方法としては、例えばステップＳ３１０において部分メモリクリアを利用者が選択（指示）できないようにする設定することなどが考えられる。なお、上記エラー表示は、文字や図形による表示の他、警告音や音声案内などおよそ利用者にエラーを告知できる構成であればよい。その後、このメモリクリア処理は終了し、新たにメモリクリアを指示する操作入力が行われると再び上記処理が繰り返される。
【００５９】
また、ステップＳ３５０における判定の結果、カウンタ情報が同一である場合（すなわちＹｅｓである場合）、制御部１００は、主格納部１４０に格納されている全ての情報を消去する部分メモリクリアを行う（ステップＳ３７０）。
【００６０】
次に、制御部１００は、（メモリクリアされていない）副格納部１５０に格納されているカウンタ情報を読み出し（ステップＳ３８０）、グリッドバイアス値と感光ドラムの使用時間との対応関係を示すテーブル情報等に基づき、カウンタ情報に含まれる感光ドラムの使用時間に対応するグリッドバイアス値を算出する（ステップＳ３９０）。このテーブル情報は、例えば図３に示される感光ドラムの表面電位とグリッドバイアスとの関係、および図９に示す感光ドラムの表面電位と使用時間との関係から、容易に作成することができる。すなわち、適宜の数値シミュレーションや本画像形成装置のいくつかの個体を例として使用テスト等を行うことにより、好適な感光ドラムの表面電位に対応する好適なグリッドバイアス値と感光ドラムの使用時間との一般的な対応関係を示すテーブルを作成することができる。本画像形成装置では、この対応テーブルがプログラム格納部１３０に格納されている。
【００６１】
なお、前述のようにクリーニング装置のブレードで感光ドラムの表面が削られるなどの要因により、使用時間が長くなるほど感光ドラムの表面の膜厚が薄くなることから、上記グリッドバイアス値と感光ドラムの使用時間との間には強い相関関係があるため、感光ドラムの使用時間に基づきグリッドバイアス値を算出することは好適である。この点、用紙の印刷を行うときに用紙が感光ドラムに接触して摩耗することにより、用紙の印刷枚数が多くなるほど感光ドラムの表面の膜厚が薄くなることから、上記グリッドバイアス値と用紙の印刷枚数との間にも強い相関関係がある。したがって、用紙の印刷枚数に基づき上記グリッドバイアス値を算出することも好適である。よって、本画像形成装置は、用紙の印刷枚数とグリッドバイアス値との対応関係を示すテーブルに基づき、好適なグリッドバイアス値を算出する構成であってもよい。
【００６２】
続いて、制御部１００は、ステップＳ３９０において算出されたグリッドバイアス値と、プログラム格納部１３０に格納されているグリッドバイアス値以外の各種設定値の初期値とを読み出し、これら全ての情報を所定のメモリマップに合わせて主格納部１４０に書き込む（ステップＳ３４０）。なお、この所定のメモリマップは、プログラムを更新する際に変更されることが多い。この場合には新しいメモリマップに基づき、各設定情報が主格納部１４０に書き込まれる。その後、このメモリクリア処理は終了し、新たにメモリクリアを指示する操作入力が行われると再び上記処理が繰り返される。
【００６３】
＜４．  効果＞
以上のように、本画像形成装置は、データ化けやプログラムのバージョンアップなどに基づくメモリクリアなどにより、不揮発性メモリである主格納部１４０に記憶されたグリッドバイアス値が失われた場合であっても、副格納部１５０に記憶されているカウンタ情報に基づき好適なグリッドバイアス値を算出する。このように算出されたグリッドバイアス値を使用することにより、本画像形成装置は、例えば保守担当者による専門的なグリッドバイアス値の調整作業が行われない場合であっても、画質の低下を生じないかまたは低下を抑えることができる。
【００６４】
＜５．  主たる変形例＞
上記実施形態においては、例えばグリッドバイアス値と感光ドラムの使用時間との対応関係を示すテーブルに基づき、カウンタ情報に含まれる感光ドラムの使用時間（または用紙の印刷枚数）に対応するグリッドバイアス値が算出される（Ｓ３９０）。しかし、この対応テーブルは、本画像形成装置のいくつかの個体を例として使用テスト等を行うことにより得られるものであって、全ての装置に共通のものである。そのため、この対応テーブルから算出されるグリッドバイアス値は、装置の個体差や利用者の嗜好等を反映したものとはならない。
【００６５】
ここで通常、グリッドバイアス値は、保守担当者の専門的な調整作業により、プログラム格納部１３０等に格納されているデフォルト値（初期値）から変更される。この際には装置の個体差に応じた好適なグリッドバイアス値が設定され、場合によって利用者の嗜好等に応じた好適なグリッドバイアス値が設定される。したがって、この装置の個体差や利用者の嗜好に応じた好適なグリッドバイアス値が停電等によるデータ化けやプログラムのバージョンアップ等のためのメモリクリアなどにより失われた場合、カウンタ情報に基づいて上記個体差等に応じた好適なグリッドバイアス値が完全にまたは或る程度に再現される構成が望ましい。そこで、本実施形態の主たる変形例では、上記個体差等に応じた好適なグリッドバイアス値が設定されたときの装置の個体差や利用者の嗜好等を反映させるために参照されるべき値（以下、この値を「個体修正値」という）を記憶する。以下、この構成について詳説する。
【００６６】
図８は、感光ドラムの使用期間に対応した感光ドラムの表面電位とグリッドバイアスとの関係を示す図である。この図中に示す実線は感光ドラムの使用期間が初期であるときの感光ドラムの表面電位とグリッドバイアスとの関係を示している。また、一点鎖線は使用期間が中期であるときの、二点鎖線は使用期間が末期であるときの、それぞれの感光ドラムの表面電位とグリッドバイアスとの関係を示している。
【００６７】
図８に示されるように、これら表面電位およびグリッドバイアスは感光ドラムの使用期間に応じてそれぞれ一意の対応関係を有している。したがって、保守担当者などにより個体差等に応じた好適なグリッドバイアス値が設定された時点での上記使用期間と、当該時点での好適なグリッドバイアス値に（図８に示されるように）対応する感光ドラムの表面電位とをともに個体修正値として保存すれば、上記好適なグリッドバイアス値が失われた場合であっても、この個体修正値および図８に示される対応関係から容易に好適なグリッドバイアス値を算出することができる。なお、上記使用期間に代えて用紙の印刷枚数が使用される場合であっても同様である。
【００６８】
そこで、この主たる変形例では、図８に示される関係を定める対応テーブルがプログラム格納部１３０等に格納され、また上記個体修正値である感光ドラムの表面電位とカウンタ情報とが主格納部１４０および副格納部１５０に格納される。またこれに代えて、個体修正値として、プログラム格納部１３０等に格納されているグリッドバイアス値のデフォルト値（初期値）からの（保守担当者等の設定による）修正量を格納してもよい。
【００６９】
また、個体修正値として、上記好適なグリッドバイアス値が設定された時点での感光ドラムの表面電位のみを保存する構成も考えられる。この場合には、上記好適なグリッドバイアス値が設定された時点でのドラム使用期間に代えて、現時点でのドラム使用期間（カウンタ情報）が使用される。これらの情報に基づく場合、図８に示される対応関係（を示すテーブル）により、装置の個体差や利用者の嗜好等を反映させることにより得られるであろう現時点での好適なグリッドバイアス値を算出することができる。すなわち、失われた好適なグリッドバイアス値は、その設定時点での感光ドラムの表面電位と一意に対応しているので、現時点での表面電位に対応するグリッドバイアス値を図８に示される対応関係から算出することにより、結果として、現時点で装置の個体差や利用者の嗜好等を反映させた画質を実現することができる。また、上記表面電位に代えて、個体修正値としてプログラム格納部１３０等に格納されているグリッドバイアス値のデフォルト値（初期値）からの（保守担当者等の設定による）修正量と設定時点でのカウンタ情報と保存してもよい。
【００７０】
この主たる変形例において、上記個体修正値はカウンタ情報と同様に図６に示す割り込み待避処理により、電源状態が不安定になった際に主格納部１４０および副格納部１５０に待避されることが好ましい。また、このように待避されない場合であっても、カウンタ情報と同様に、主格納部１４０とは別の副格納部１５０に格納されることが好ましい。主格納部１４０に保存される情報がデータ化け等により失われても副格納部１５０に格納される情報は影響を受けないので、確実に個体修正値を保存することができるからである。さらに、個体修正値は、主格納部１４０と副格納部１５０との双方に格納されることが好ましい。これらに格納される個体修正値のうち一方または双方がデータ化け等により損傷した（失われた）場合に双方のデータが同一であるか否かを比較することにより、個体修正値が正しい値であるか否かを容易に検証することができるからである。
【００７１】
＜６．  その他の変形例＞
上記実施形態のステップＳ３５０における主格納部１４０および副格納部１５０に格納されるカウンタ情報の同一性の判定処理は、利用者が部分メモリクリアを指示する操作入力（Ｓ３１０）を行った場合に実行されるが（Ｓ３２０においてＹｅｓの場合）、さらにこの判定処理は装置起動時になされてもよい。そして、装置起動時に主格納部１４０および副格納部１５０に格納されるカウンタ情報が同一でない場合（Ｓ３５０においてＮｏの場合）、ステップＳ３６０におけるエラー表示等の処理が行われてもよい。
【００７２】
また、上記実施形態のステップＳ３５０において、主格納部１４０および副格納部１５０に格納されるカウンタ情報が同一でない場合、ステップＳ３６０におけるエラー表示および部分メモリクリアの禁止等の処理が行われるが、この処理に代えて、副格納部１５０に格納されるカウンタ情報が正しいものとして、このカウンタ情報に基づきステップＳ３７０〜Ｓ４００における処理がなされてもよい。なお、主格納部１４０に格納されているカウンタ情報が正しい場合、このカウンタ情報に基づきステップＳ３７０〜Ｓ４００における処理がなされてもよい。
【００７３】
さらに、上記実施形態のステップＳ３５０において、主格納部１４０および副格納部１５０に格納されるカウンタ情報が互いに比較されるが、この処理に代えて、主格納部１４０および副格納部１５０に格納されるカウンタ情報の少なくとも一方にエラーチェックのためのチェックサムなどの冗長符号を付し、この冗長符号を参照してカウンタ情報が正しいか否かを検証する構成であってもよい。なお、主格納部１４０および副格納部１５０に格納されているカウンタ情報の一方がデータ化けなどにより失われており、他方のカウンタ情報が正しいことが検証されている場合、正しいカウンタ情報を書き込むことにより失われたカウンタ情報を復元することができる。
【００７４】
上記実施形態では、カウンタ情報は用紙の印刷枚数および感光ドラムの使用時間（回転時間）をともに含むが、いずれか一方のみを含むものであってもよい。これらはいずれも好適なグリッドバイアス値と強い相関関係にあることは前述したとおりであるから、いずれか一方のみの情報と前述の対応関係を示すテーブルに基づき、好適なグリッドバイアス値を算出する構成であってもよい。
【００７５】
上記実施形態では、主格納部１４０と副格納部１５０とは別のＥＥＰＲＯＭチップで構成されているが、これらは同一のチップ内の異なる記憶領域であってもよい。この構成では、当該チップ内のグリッドバイアス値が失われ、カウンタ情報が失われない場合に上記実施形態と同様に動作し、同様の効果を奏することができる。
【００７６】
上記実施形態では、カウンタ情報に用紙の印刷枚数およびドラムの使用時間（回転時間）が含まれるが、この用紙の印刷枚数は、実際に画像形成に使用された用紙の枚数に限定されるわけではなく、その枚数に対応する値であればよい。例えば使用された用紙の全長などの値であってもよい。また、ドラムの使用時間（回転時間）は、実際にドラムが回転した時間に限定されるわけではなく、その回転時間に対応する値であればよい。例えばドラムの回転回数やドラムの実際の膜厚の測定値などの値であってもよい。
【００７７】
上記実施形態における主帯電装置２１は、グリッド電極２１６に印加されるグリッドバイアスにより感光ドラム１７の帯電量を制御するスコロトロン帯電器を含むが、この構成に限定されるわけではなく、この帯電器に代えて、帯電ブラシを有する接触式の帯電器や、グリッド電極を有しないコロトロン帯電器など周知の帯電器を含んでいてもよい。例えば、コロトロン帯電器を含む場合、グリッドバイアスの制御に代えて、コロナ電流を発生させるために流される電流を制御することにより感光ドラム１７の帯電量を調整することができるので、この電流値が上記グリッドバイアス値に相当する調整値となる。
【図面の簡単な説明】
【００７８】
【図１】本発明の一実施形態に係る画像形成装置における画像形成機構の構造を簡単に示す側面図である。
【図２】上記実施形態に係る画像形成装置における主帯電装置の構成を簡略に示す図である。
【図３】上記実施形態に係る画像形成装置における感光ドラムの表面電位とグリッドバイアスとの関係を示す図である。
【図４】上記実施形態における制御部の構成を示すブロック図である。
【図５】上記実施形態における制御部によりカウンタ情報を作成し記憶する処理の流れを示すフローチャートである。
【図６】上記実施形態において電源状態が不安定になった際に、制御部によりカウンタ情報を待避する割り込み処理の流れを示すフローチャートである。
【図７】上記実施形態における制御部による主格納部に対するメモリクリア処理の流れを示すフローチャートである。
【図８】上記実施形態における感光ドラムの使用期間に対応した感光ドラムの表面電位とグリッドバイアスとの関係を示す図である。
【図９】従来の画像形成装置において、グリッドバイアスが一定であるときの感光ドラムの表面電位と使用時間との関係を簡略に示す図である。
【符号の説明】
【００７９】
１７    …感光ドラム
１８    …現像ローラ
１９    …転写ローラ
２０    …クリーニング装置
２１    …主帯電装置
３６    …搬送路
４３    …レジストローラ
４４    …定着ローラ
１００  …制御部
１１０  …処理部
１２０  …作業記憶部
１３０  …プログラム格納部
１４０  …主格納部
１５０  …副格納部
１６０  …入出力部
２１０  …高圧部
２１５  …放電電極
２１６  …グリッド電極
Ｖｇ    …グリッドバイアス
【図１】
2006133256.tif 000003
【図２】
2006133256.tif 000004
【図３】
2006133256.tif 000005
【図４】
2006133256.tif 000006
【図５】
2006133256.tif 000007
【図６】
2006133256.tif 000008
【図７】
2006133256.tif 000009
【図８】
2006133256.tif 000010
【図９】
2006133256.tif 000011